(57)【要約】【課題】ロード・アンロードの際に生じる汚れによって惹き起される問題を解消し、より信頼性の高い磁気ディスク装置を提供する。【解決手段】磁気ヘッドを退避位置に保持するランプ２０を備えたランプロード方式の磁気ディスク装置であって、前記ランプ２０には、ロード・アンロード操作の際に、ヘッドサスペンションに設けられたリフトタブ１８ａがスライドして移動するスライド面２１ａが設けられるとともに、磁気記録媒体の回転によって生じるエア流を、前記リフトタブ１８ａの前記スライド面２１ａに対向する面に導き、前記リフトタブ１８ａにエアを吹きつ付けることにより、該リフトタブ１８ａと前記スライド面２１ａに付着する汚れを飛散させて除去するクリーニング機構（２３ａ、２３ｂ、２４ａ、２４ｂ）が設けられている。【選択図】図２
2010079957.tif 000002
【特許請求の範囲】
【請求項１】
磁気ヘッドを退避位置に保持するランプを備えたランプロード方式の磁気ディスク装置であって、
前記ランプには、ロード・アンロード操作の際に、ヘッドサスペンションに設けられたリフトタブがスライドして移動するスライド面が設けられるとともに、
磁気記録媒体の回転によって生じるエア流を、前記リフトタブの前記スライド面に対向する面に導き、前記リフトタブにエアを吹きつ付けることにより、該リフトタブと前記スライド面に付着する汚れを飛散させて除去するクリーニング機構が設けられていることを特徴とする磁気ディスク装置。
【請求項２】
前記クリーニング機構として、前記ランプの前記磁気記録媒体の回転上流側に位置する側面に開口するエアの流入口と、前記スライド面に開口するエアの吐出口と、前記流入口と吐出口とを連通する内部流路とが設けられていることを特徴とする請求項１記載の磁気ディスク装置。
【請求項３】
前記スライド面は、前記リフトタブの移動方向の中途部分が、前記リフトタブに対向する方向に膨出する形態に形成されていることを特徴とする請求項１または２記載の磁気ディスク装置。
【請求項４】
前記磁気記録媒体が回転する外周縁に沿って、磁気ディスク装置内の汚れを捕集する循環フィルターが設けられていることを特徴とする請求項１〜３のいずれか一項記載の磁気ディスク装置。
【請求項５】
磁気ヘッドを退避位置に保持するランプを備え、
前記ランプには、ロード・アンロード操作の際に、ヘッドサスペンションに設けられたリフトタブがスライドして移動するスライド面が設けられるとともに、
磁気記録媒体の回転によって生じるエア流を、前記リフトタブの前記スライド面に対向する面に導き、前記リフトタブにエアを吹きつ付けることにより、該リフトタブと前記スライド面に付着する汚れを飛散させて除去するクリーニング機構が設けられたランプロード方式の磁気ディスク装置を制御する方法であって、
前記磁気ヘッドを退避位置に移動させ、前記磁気記録媒体の回転数を、磁気記録媒体の定常回転数よりも高回転数に維持する状態と、低回転数に維持する状態とに切り替え、前記リフトタブに吹き付けるエア圧を強弱変化させてクリーニングする工程を備えることを特徴とする磁気ディスク装置の制御方法。
【請求項６】
前記クリーニングする工程を、前記磁気記録媒体が定常回転している状態において、前記磁気ヘッドによる記録・再生操作をいったん中断させて行うことを特徴とする請求項５記載の磁気ディスク装置の制御方法。
【請求項７】
前記クリーニングする工程を、前記磁気ヘッドを退避位置にアンロードさせた状態において行うことを特徴とする請求項５記載の磁気ディスク装置の制御方法。
【発明の詳細な説明】
【技術分野】
【０００１】
磁気ディスク装置、より詳細にはランプロード方式の磁気ディスク装置及びその制御方法に関する。
【背景技術】
【０００２】
磁気ディスク装置には、磁気記録媒体に対して情報を記録・再生しない際には、磁気記録媒体の側方に配置されたランプに磁気ヘッドを退避させ、磁気記録媒体に対して情報を記録・再生する際に、ランプから磁気記録媒体上に磁気ヘッドをロードさせる、いわゆるランプロード方式の製品がある。
ランプロード方式においては、先端にリフトタブ（突部）が設けられたヘッドサスペンションに磁気ヘッド（磁気ヘッドスライダー）が搭載され、ヘッドサスペンションはアクチュエータアームに支持されて、磁気記録媒体の表面上を揺動する（シーク動作）。磁気ヘッドをアンロードする際には、傾斜面に形成されたランプ上にリフトタブが滑りながら乗り上がり、乗り上げ位置でヘッドサスペンションが停止する。ヘッドサスペンション、すなわち磁気ヘッドは、リフトタブが弾性的にランプを押圧する力によってランプ位置に留まる。
【特許文献１】特開２００５−１００６１６号公報
【特許文献２】特開２０００−１３２９３７号公報
【特許文献３】特開平１−１６５０１３号公報
【発明の開示】
【発明が解決しようとする課題】
【０００３】
ランプロード方式によって磁気ヘッドをロード・アンロードする場合には、ロード・アンロード操作の際にリフトタブがランプに接触することによって生じる汚れ（削りかす）が磁気ディスク装置内に飛散するという問題がある。
ランプとリフトタブとが接触することによって生じる汚れ（削りかす）は、きわめて微小なものである。しかしながら、微小な削りかすであっても、磁気記録媒体上に汚れが拡散すると、磁気ヘッドと磁気記録媒体の表面との間に汚れが介在することによって、情報の記録・再生時のエラーの原因となったり、記録情報が破壊されるといった問題をひきおこす。最近の磁気ディスク装置は、磁気ヘッドの浮上量が、従来にくらべてはるかに低くなってきていることから、ロード・アンロードの際に生じる汚れ（コンタミ、マイクロコンタミ）は、磁気ディスク装置の信頼性を維持する上で重要な問題となってきている。
【０００４】
ロード・アンロードの際に生じる汚れは、ロード・アンロード操作が一定回数以上になると、ランプとリフトタブとの接触部分が磨耗し、汚れが発生しやすくなる。また、低温時にも汚れによる問題が発生しやすくなる。
これらのランプロード方式における汚染の問題を解決する方法としては、ロード・アンロードの動作時間（動作回数）を制限する、ランプロードの際に接触するランプとリフトタブの材料を選択するといった方法が考えられている。しかしながら、ランプロードによる汚染を回避する有効な方法とはなっていない。
【０００５】
本発明は、これらの課題を解決すべくなされたものであり、ランプロード方式による磁気ディスク装置において、ロード・アンロードの際に生じる汚れによって惹き起される問題を解消し、より信頼性の高い製品として提供することを可能にする磁気ディスク装置及びその制御方法を提供することを目的とする。
【課題を解決するための手段】
【０００６】
実施形態の一観点によれば、磁気ヘッドを退避位置に保持するランプを備えたランプロード方式の磁気ディスク装置であって、前記ランプには、ロード・アンロード操作の際に、ヘッドサスペンションに設けられたリフトタブがスライドして移動するスライド面が設けられるとともに、磁気記録媒体の回転によって生じるエア流を、前記リフトタブの前記スライド面に対向する面に導き、前記リフトタブにエアを吹きつ付けることにより、該リフトタブと前記スライド面に付着する汚れを飛散させて除去するクリーニング機構が設けられた磁気ディスク装置が提供される。
【０００７】
また、磁気ヘッドを退避位置に保持するランプを備え、前記ランプには、ロード・アンロード操作の際に、ヘッドサスペンションに設けられたリフトタブがスライドして移動するスライド面が設けられるとともに、磁気記録媒体の回転によって生じるエア流を、前記リフトタブの前記スライド面に対向する面に導き、前記リフトタブにエアを吹きつ付けることにより、該リフトタブと前記スライド面に付着する汚れを飛散させて除去するクリーニング機構が設けられたランプロード方式の磁気ディスク装置を制御する方法であって、前記磁気ヘッドを退避位置に移動させ、前記磁気記録媒体の回転数を、磁気記録媒体の定常回転数よりも高回転数に維持する状態と、低回転数に維持する状態とに切り替え、前記リフトタブに吹き付けるエア圧を強弱変化させてクリーニングする工程を備える磁気ディスク装置の制御方法が提供される。
【発明の効果】
【０００８】
本発明に係る磁気ディスク装置によれば、ランプにクリーニング機構を設けたことにより、磁気ヘッドが退避位置に移動した際に、磁気記録媒体の回転によって生じるエア流がリフトタブに導かれ、リフトタブに吹き付けられることによって、リフトタブとスライド面に付着した汚れが飛散されて除去される。ロード・アンロード操作ごとにリフトタブとスライド面のクリーニングがなされることにより、リフトタブとランプとが接触することによって生じる汚れ（削りかす）によって記録・再生動作にエラーが生じたり、ディスククラッシュしたりすることを防止することができる。
【発明を実施するための最良の形態】
【０００９】
（磁気ディスク装置）
図１は本発明に係る磁気ディスク装置の内部構成を示す平面図である。
本実施形態の磁気ディスク装置１０は、平面形状が四角形の箱状に形成されたケーシング１２内に、磁気記録媒体１４と、磁気記録媒体１４との間で情報を記録・再生する磁気ヘッド１５を支持するアクチュエータアーム１６を備える。
【００１０】
磁気記録媒体１４は、軸１４ａに支持され、スピンドルモータによって一方向に回転駆動される。
アクチュエータアーム１６は、磁気記録媒体１４の側方に軸支され、アクチュエータ１７により、アクチュエータアーム１６が磁気記録媒体１４の面に平行な面内において揺動するように駆動される。
【００１１】
アクチュエータアーム１６の先端にはヘッドサスペンション１８が取り付けられ、ヘッドサスペンション１８の先端からリフトタブ１８ａが延出する。リフトタブ１８ａはヘッドサスペンション１８の先端から細幅に延出する。
磁気ヘッド１５はヘッドサスペンション１８の先端に磁気記録媒体１４にABS面を向けて搭載される。図１においては、磁気ヘッド１５はヘッドサスペンション１８の下面側にある。
【００１２】
磁気ヘッド１５を退避させるランプ２０は磁気記録媒体１４の外周縁の外側に、内端縁が磁気記録媒体１４の周縁上にわずかに重複する配置として設けられる。
磁気ヘッド１５がアンロード位置に移動する際には、アクチュエータアーム１６が磁気記録媒体１４上からランプ２０の位置まで回動し、リフトタブ１８ａがランプ２０に乗り上がる。ランプ２０のリフトタブ１８ａがスライドするスライド面２１ａはリフトタブ１８ａが移動する円弧上に位置している。
【００１３】
磁気ディスク装置１０のケーシング１２の背面にはプリント板ユニット（制御部）が実装されている。磁気ヘッド１５と制御部とは、アクチュエータアーム１６の側面に取り付けられたフレキシブル基板２５を介して電気的に接続される。
制御部は磁気記録媒体を回転駆動するスピンドルモータ等の駆動機構の制御と、磁気ヘッド１５による記録・再生動作と、アクチュエータアーム１６を回動駆動するアクチュエータ１７の駆動を制御する。
【００１４】
（クリーニング機構）
図２は、ランプ２０の構造を拡大して示している。ランプ２０はリフトタブ１８ａを保持する保持部２１と、ランプ２０をケーシング１２に取り付けるための取り付け部２２を備える。
保持部２１は、リフトタブ１８ａの揺動方向（ロード・アンロード方向）に長手となる形状に形成される。保持部２１のリフトタブ１８ａと接触するスライド面２１ａは、長手方向の中央部が、リフトタブ１８ａに対向する方向に膨出する滑らかな曲面形状に形成される。すなわち、スライド面２１ａは、磁気記録媒体１４の外周縁に近接する側が低位、中央部が高位、磁気記録媒体１４からもっとも遠い側が低位となる。
【００１５】
スライド面２１ａを中央部が膨出する滑らかな曲面形状としているのは、磁気ヘッドを磁気記録媒体１４上からアンロードする際に、リフトタブ１８ａと保持部２１との間で作用する押圧力が徐々に増大するようにするためである。ヘッドサスペンション１８は磁気記録媒体１４の媒体面に対して磁気ヘッドを押圧する向きに付勢している。したがって、リフトタブ１８ａをスライド面２１ａ上に移動させ、リフトタブ１８ａをスライド面２１ａの膨出部に向けて移動させていくと、リフトタブ１８ａとスライド面２１ａとの間の押圧力（接触力）は増大していく。スライド面２１ａは、リフトタブ１８ａが膨出部の頂部を超えた位置の近傍で保持部２１上で停止して保持されるように設計されている。
【００１６】
磁気ヘッドを退避位置から磁気記録媒体１４上にロードする際には、膨出部からスライド面２１ａの内端縁側に移動するにしたがって、リフトタブ１８ａとスライド面２１ａとの間の押圧力は徐々に低減する。
このようにスライド面２１ａの面形状を設定することにより、磁気ヘッドのロード・アンロード操作が円滑に行われるようになる。
なお、スライド面２１ａは、保持部２１の長手方向に対して中央部が膨出する形状に形成するとともに、保持部２１の短手方向にも中央部が若干膨出する形状としている。これによって、リフトタブ１８ａとスライド面２１ａとの接触面積を小さくし、より円滑にロード・アンロード操作がなされるようにするためである。
【００１７】
本実施形態のランプ２０においては。磁気記録媒体１４の回転方向の上流側に位置する保持部２１の側面２１ｂにエアの流入口２３ａを、スライド面２１ａにエアの吐出口２３ｂをそれぞれ開口し、流入口２３ａと吐出口２３ｂを内部流路２４ａ、２４ｂによって連通した構造を備える。本実施形態においては、これらのエアの流入口２３ａと、エアの吐出口２３ｂと、内部流路２４ａ、２４ｂがクリーニング機構となる。
側面２１ｂに形成するエアの流入口２３ａは、保持部２１の側面２１ｂの長手方向に沿って、複数個、配置している。エアの流入口２３ａは、磁気記録媒体１４が回転することによって生じるエア流を保持部２１内に取り込むためのものであり、その配置位置や配置数は適宜設定可能である。本実施形態のエアの流入口２３ａの開口径は、0.3ｍｍである。
【００１８】
本実施形態においては、側面２１ｂに開口する各々のエアの流入口２３ａに対して、スライド面２１ａに２つのエアの吐出口２３ｂが開口するように設けている。エアの吐出口２３ｂはスライド面２１ａ上を移動するリフトタブ１８ａに向けてエアを吹き付けるためのものである。
本実施形態においては、エアの吐出口２３ｂを２列に設け、吐出口２３ｂの中間位置がリフトタブ１８ａとスライド面２１ａとが接触する部位とし、吐出口２３ｂにリフトタブ１８ａが接触しないようにしているが、吐出口２３ｂに積極的にリフトタブ１８ａを接触させる配置とすることも可能である。吐出口２３ｂの配列は２列以外にすることも可能であり、リフトタブ１８ａのスライド面２１ａに接触する部位に集中的にエアが吹き付けられる配置とすることも可能である。
【００１９】
エアの流入口２３ａとエアの吐出口２３ｂとは、横位置の内部流路２４ａと、エアの吐出口２３ｂに連通する縦位置の内部流路２４ｂとによって連通する。内部流路２４ａ、２４ｂは、一つの流入口２３ａと２つの吐出口２３ｂとを個別に連通させる構造とすることもできるし、すべての流入口２３ａ、あるいはグループ化した流入口２３ａごとに内部流路２４ａ、２４ｂを連通させる構造とすることもできる。
【００２０】
ランプ２０は、保持部２１の長手方向をヘッドサスペンション１８が揺動する方向に向けて配置するから、磁気記録媒体１４が回転することによって生じるエア流は、保持部２１の側面２１ｂに向かうエア流となる。したがって、側面２１ｂに形成したエアの流入口２３ａには効率的にエアが流入する。
【００２１】
なお、ランプ２０は、保持部２１の内端縁を磁気記録媒体１４の外周縁位置に若干重複させて配置する。したがって、磁気記録媒体１４が回転することによって生じるエア流は、保持部２１の内端縁側には他の部位よりも強く当たるといったように、保持部２１の側面２１ｂにおけるエア流の強さにはばらつきが生じる可能性がある。保持部２１の側面２１ｂにエアの流入口２３ａを配置する場合は、エア圧等のばらつきを考慮して流入口２３ａの配置、配置数を調節するのがよい。前述したように、各々の流入口２３ａに対して設けた内部流路２４ａ、２４ｂを互いに連通させることにより吐出口２３ｂから吐出されるエア圧、エア量を均等化することができる。
図２に示す実施形態においては、エアの流入口２３ａは一列状に配置したが、複数列に形成することも可能であり、エア流が強くあたる部位に集中的に流入口２３ａを配することも可能である。
【００２２】
本実施形態のランプ２０の構造によれば、磁気記録媒体１４が回転した際に生じるエア流により、エアの流入口２３ａからエアが取り込まれ、エアの吐出口２３ｂからエアが吐出される。図２に、エアの流入口２３ａからエアが取り込まれ、エアの吐出口２３ｂからエアが吐出される様子を示す。
したがって、磁気記録媒体１４が回転された状態において、磁気ヘッドをロード・アンロードすると、ヘッドサスペンション１８のリフトタブ１８ａがランプ２０のスライド面２１ａ上を移動する際に、エアの吐出口２３ｂからリフトタブ１８ａに向けてエアが吹き付けられ、リフトタブ１８ａに付着した汚れ（塵埃、削りかす、微小な磨耗片）がエアによって吹き飛ばされて除去される。
リフトタブ１８ａに吹き付けられたエアは、リフトタブ１８ａに当たることによって拡散し（反射し）スライド面２１ａにも当たり、スライド面２１ａに付着した汚れも除去される。
【００２３】
前述したように、磁気ヘッドをロード・アンロードする際に、リフトタブ１８ａとランプ２０とが繰り返して接触することにより、リフトタブ１８ａとスライド面２１ａとの接触部分に汚れ、削りかすが付着していく。
ランプロード方式によるロード・アンロード動作の場合に最も問題となるのは、リフトタブ１８ａとランプ２０とが繰り返し接触することによって生じる削りかすのような比較的大きな汚れが生じることである。
【００２４】
本実施形態のクリーニング機構を備えたランプ２０の構造によれば、磁気ヘッドをロード・アンロードするごとに、リフトタブ１８ａの外面とスライド面２１ａに付着した汚れが除去され、リフトタブ１８ａとスライド面２１ａが常時、クリーニングされた状態になる。したがって、ロード・アンロード操作が繰り返されることによって汚れが蓄積されることが回避される。
【００２５】
磁気記録媒体１４は、15000回転／分といった高速回転する。したがって、磁気記録媒体１４の回転によって生じるエア流を利用してリフトタブ１８ａとスライド面２１ａに付着する汚れを吹き飛ばす方法は汚れ除去方法として有効である。
エアによって吹き飛ばされた汚れ（削りかす等）は磁気記録媒体１４の回転流とともに磁気ディスク装置内を移動し、循環フィルター２６に捕集される。循環フィルター２６は磁気記録媒体１４の外周縁に配置されている（図１）。循環フィルター２６は、磁気記録媒体１４のエア流にのって移動してくる汚れ、塵埃を捕集する作用をなす。循環フィルター２６を複数個所に配置することも有効である。
【００２６】
本実施形態の磁気ディスク装置によれば、リフトタブ１８ａとランプ２０のスライド面２１ａに付着した汚れは、ロード・アンロード操作を行うごとに、クリーニング機構によって磁気ディスク装置内に飛散され、飛散した汚れは循環フィルターによって捕集されることにより、磁気記録媒体１４の表面に汚れが拡散することが防止される。こうして、ランプロードによって生じる汚れによって、磁気ヘッドの記録・再生動作のエラーや、ディスククラッシュが生じることを防止することが可能となる。
【００２７】
なお、本実施形態においてはエアの流入口２３ａと、内部流路２４ａ、２４ｂと、エアの吐出口２３ｂとにより、リフトタブ１８ａにエアを吹き付けて汚れを除去するクリーニング機構を形成したが、クリーニング機構はこの構造に限定されるものではない。たとえば、保持部２１の外面に磁気記録媒体１４が回転することによって生じるエア流をリフトタブ１８ａのスライド面２１ａとの接触面に導くガイド溝を設けるといったことも可能である。
【００２８】
（クリーニングの制御方法）
本実施形態の磁気ディスク装置においては、磁気記録媒体１４の回転によるエア流を利用して、ロード・アンロード操作の際にリフトタブ１８ａやランプ２０のスライド面２１ａに付着した汚れを除去する。
このクリーニング作用は、磁気ヘッドをロードする際には、磁気ヘッドが退避位置から磁気記録媒体上にロードされる間になされ、磁気ヘッドをアンロードする際には、磁気ヘッドが退避位置に移動した後に、磁気記録媒体１４が停止するまでの間になされる。
【００２９】
磁気ヘッドは磁気記録媒体が一定回転数に達してから磁気記録媒体にロードされるから、その間にクリーニングされる。磁気記録媒体１４が一定回転数に上昇するまでに要する時間、あるいは一定回転数から停止するまでの時間は短時間ではあるが、ロード・アンロード操作ごとに、リフトタブ１８ａとランプ２０をクリーニングすることによって、リフトタブ１８ａとランプ２０に汚れが溜まることを防止することができる。
【００３０】
このように、磁気記録媒体１４によるエア流を利用して磁気ディスク装置のクリーニングを行う方法は、磁気ヘッドをロード・アンロードする際に限定されるものではない。
たとえば、磁気ヘッドによる記録・再生動作を行っている定常動作の場合、あるいは磁気ヘッドが退避位置に移動した際にも積極的にクリーニングを行うように制御することが可能である。
【００３１】
図３は、ロード・アンロード操作の際とは別に、クリーニング動作を行わせる制御例を示す。
図３（ａ）は、磁気記録媒体１４が定常回転状態にあり、磁気ヘッドによる記録・再生動作を行っている途中の動作としてクリーニングを行う例である。
この場合には、磁気ヘッドの記録・再生動作をいったん中断し、磁気ヘッドを退避位置に移動させてクリーニング操作を行う。図３（ａ）は、磁気ヘッドがランプ２０の位置に退避した状態で、磁気記録媒体１４の回転数を定常回転数を上回る高回転状態と、定常回転数を下回る低回転状態に、複数回、切り替えるように制御することを示している。
【００３２】
このクリーニング方法によれば、磁気記録媒体１４の回転数を定常回転数を上回るように設定することにより、定常回転によるエア圧によっては除去できなかった汚れを除去することを可能にする。また、高回転状態と低回転状態を交互に繰り返すことにより、エア圧を脈動的に作用させ、リフトタブ１８ａとランプ２０のスライド面２１ａに付着した、取り難い汚れを除去しやすくする作用がある。
【００３３】
磁気記録媒体１４を高回転数に設定する時間と低回転数に設定する時間は、適宜設定可能であり、たとえば１０秒間ごと切り替えるように制御すればよい。高回転数、低回転数は適宜設定可能であり、図示例は、高回転数を定常回転数の130％とし、低回転数を定常回転数の50％とした例である。
磁気ヘッドが記録・再生動作を行っている際にクリーニング動作を行う場合は、磁気ヘッドによる記録・再生動作をいったん停止することになるから、磁気ヘッドの動作状態をみながら、たとえば１時間ごとにクリーニング動作を行うといったように制御する。
【００３４】
図３（ｂ）は、磁気ヘッドが記録・再生操作を終え、退避位置にアンロードされた状態において、別途クリーンング操作を行う例である。
磁気ヘッドが退避位置に移動すると、磁気記録媒体１４の回転が停止した時点でクリーニング作用は終了する。この例では、磁気ヘッドが退避位置、すなわちランプ２０に移動して磁気記録媒体１４が停止した後、再度、磁気記録媒体１４を回転開始してクリーニングする。磁気記録媒体１４を回転駆動する際に、高回転数とする場合と、低回転数とする場合を交互に設定し、リフトタブ１８ａとスライド面２１ａに脈動的にエア圧を作用させ、付着した汚れを落としやすくするとよい。もちろん、単に所定の回転数で磁気記録媒体１４を回転させてクリーニングすることも可能である。
【００３５】
図４は、本発明のクリーンング方法による場合と、従来のランプロード方式による場合とで、磁気ディスク装置内における汚れがどのように変化するかを示したグラフである。グラフＡは本発明方法による場合、グラフＢは従来方法による場合である。本発明方法のクリーニング方法によれば、全体として汚れ（コンタミ）を減らすことができるとともに、粒子径の大きな汚れ（コンタミ、マイクロコンタミ）を低減させる効果がある。
このように比較的粒子径の大きな汚れを除去することができることから、本発明に係る磁気ヘッドの制御方法によれば、磁気ヘッドの浮上量が低くなってきた磁気ディスク装置に好適に利用することが可能となる。
【図面の簡単な説明】
【００３６】
【図１】磁気ディスク装置の内部構成を示す平面図である。
【図２】ランプの構成を拡大して示す斜視図である。
【図３】磁気記録媒体の回転数を変化させてクリーニングする方法を示すグラフである。
【図４】磁気ディスク装置内における汚れの量を示すグラフである。
【００３７】
１０  磁気ディスク装置
１４  磁気記録媒体
１５  磁気ヘッド
１６  アクチュエータアーム
１７  アクチュエータ
１８  ヘッドサスペンション
１８ａ  リフトタブ
２０  ランプ
２１  保持部
２１ａ  スライド面
２１ｂ  側面
２３ａ  流入口
２３ｂ  吐出口
２４ａ、２４ｂ  内部流路
２６  循環フィルター
【図１】
2010079957.tif 000003
【図３】
2010079957.tif 000004
【図４】
2010079957.tif 000005
【図２】
2010079957.tif 000006